(57)【要約】【課題】簡素な構成で保健効果に優れている振動温灸マッサージ機を提供する。【解決手段】ハンドル１とマッサージ爪２との間はダンピングリング３によって接続されている。ハンドル１の中にはバッテリパネルが設置され、バッテリパネルは、ケーブルによって、マッサージ爪２の中空体中のモータ４と接続される。また、バッテリパネルは、マッサージ爪２の中空体底部に設置されている発熱体と接続されている。マッサージ爪２の底部の発熱体の裏面には金属熱伝導パネルが設けられている。金属熱伝導パネル上には複数の穴５があり、この穴に５ゲルマニウム粒が固定されている。金属熱伝導パネルの表面には遠赤外線を発生できるコーティングが施されている。【選択図】図１
0003165204.tif 000002
【実用新案登録請求の範囲】
【請求項１】
ハンドル、および複数のマッサージヘッドを有する中空体のマッサージ爪を備え、
前記マッサージ爪の中空体中にはモータが設置され、
前記モータは、前記ハンドルを押すことにより起動され、
前記マッサージ爪と前記ハンドルとの間はダンピングリングによって接続され、
前記ハンドルの中にはバッテリパネルが設置され、
当該バッテリパネルは、ケーブルによって前記マッサージ爪の中空体中の前記モータと接続されるとともに、ケーブルによって前記マッサージ爪の中空体底部に設置されている発熱体と接続され、
前記マッサージ爪の底部の外表面の前記発熱体の裏面には金属熱伝導パネルが設けられ、
当該金属熱伝導パネル上には複数の穴が設けられ、
当該穴によりゲルマニウム粒又は人体に有益な金属元素又はミネラルが固定され、
前記金属熱伝導パネルの表面には遠赤外線を発生できるコーティングが施されていることを特徴とする振動温灸マッサージ機。
【請求項２】
前記ハンドルは、トップカバーとアンダーカバーとの接続によって構成され、
前記トップカバーと前記アンダーカバーとは中空体を形成し、内部にバッテリチェンバーが設置され、
前記バッテリパネルは前記バッテリチェンバーに設置されることを特徴とする請求項１に記載の振動温灸マッサージ機。
【請求項３】
前記マッサージ爪はマッサージ爪トップカバーとマッサージ爪アンダーカバーとの接続によって構成されることを特徴とする請求項１又は２に記載の振動温灸マッサージ機。
【請求項４】
前記モータは、モータ固定用ブラケットに固定されるとともに、前記ダンピングリングのクランププレート上の回路と接続され、ダンピングガスケット、および前記ダンピングリングを通され、
前記ハンドルを押すことにより、前記バッテリパネルと前記モータとが接続されることを特徴とする請求項３に記載の振動温灸マッサージ機。
【請求項５】
前記ハンドルは、充電コンセントが設けられていることを特徴とする請求項４に記載の振動温灸マッサージ機。
【請求項６】
前記マッサージヘッドは、複数設けられ、互いに間隔を以って設置されることを特徴とする請求項１に記載の振動温灸マッサージ機。
【請求項７】
前記金属熱伝導パネルはアルミパネルであることを特徴とする請求項１に記載の振動温灸マッサージ機。
【考案の詳細な説明】
【技術分野】
【０００１】
本考案は、振動温灸マッサージ機に関する。
【背景技術】
【０００２】
従来、市場には様々なマッサージ機が現れている。しかしながら、専門的に体の各適当な部位の筋肉に対するつぼマッサージを通じて保健療法と物理療法を実施するマッサージ機は、まだ少なく、構成も繁雑で、保健効果も理想的ではない。
【考案の概要】
【考案が解決しようとする課題】
【０００３】
本考案の目的は、簡素な構成で保健効果に優れている振動温灸マッサージ機を提供することにある。
【課題を解決するための手段】
【０００４】
本考案の振動温灸マッサージ機は、ハンドル、および中空体である複数のマッサージヘッドのマッサージ爪を備える。マッサージ爪の中空体中にはモータが設置され、モータは、ハンドルを押すことにより起動される。マッサージ爪とハンドルとの間にはダンピングリングによって接続されている。ハンドルの中にはバッテリパネルが設置される。当該バッテリパネルはケーブルによってマッサージ爪の中空体中のモータと接続され、ハンドルを押すとモータが起動される。また、バッテリパネルはケーブルによってマッサージ爪の中空体底部に設置されている発熱体と接続されている。
マッサージ爪の底部の外表面の発熱体の裏面には、金属熱伝導パネルが設けられている。当該金属熱伝導パネル上には複数の穴があり、この穴を通じて、対応するゲルマニウム又は人体に有益な金属元素又はミネラル粒が固定されている。なお、金属熱伝導パネルの表面には遠赤外線を発生できるコーティングが施されている。
【０００５】
また、本考案は、ハンドルがトップカバーとアンダーカバーとの接続によって構成される。トップカバーとアンダーカバーは中空体を形成し、中にはバッテリチェンバーが設置される。バッテリパネルは当該バッテリチェンバーに設置される。
さらにまた、本考案は、マッサージ爪がマッサージ爪トップカバーとマッサージ爪アンダーカバーとの接続によって構成される。
【０００６】
また、本考案は、モータが、モータ固定用ブラケットに固定されるとともに、ダンピングリングのクランププレート上の回路と接続され、ダンピングガスケットや、ダンピングリングを通され、ハンドルを押すと、バッテリパネルとモータを接続する。
【０００７】
さらにまた、本考案は、ハンドルが充電コンセントを有している。
また、本考案は、マッサージヘッドが複数、例えば３つ又は４つ又は５つあり、互いに間隔を以って設置される。
さらにまた、本考案は、金属熱伝導パネルがアルミパネルである。
【０００８】
（特有の効果）
本考案の振動温灸マッサージ機は、構成がシンプルであり、発熱機能や、ゲルマニウム粒の使用により、人体の血液循環や、マッサージ温灸などの効果を促進することができ、効果の高い保健用マッサージ製品である。
【図面の簡単な説明】
【０００９】
【図１】本考案の振動温灸マッサージ機の断面図。
【図２】本考案の振動温灸マッサージ機の底面図。
【図３】本考案の振動温灸マッサージ機の上半部の分解斜視図。
【図４】本考案の振動温灸マッサージ機の下半部の分解斜視図。
【考案を実施するための形態】
【００１０】
以下、本考案の一実施形態を図面に基づいて説明する。
（一実施形態）
本考案の一実施形態の振動温灸マッサージ機は、図１、２に示すように、ハンドル１および、複数のマッサージヘッドを有する中空体であるマッサージ爪２を備える。
マッサージ爪２とハンドル１との間にはダンピングリング３によって接続されている。ハンドル１の中にはバッテリパネルが設置されている。当該バッテリパネルはケーブルによってマッサージ爪２の中空体中のモータ４と接続され、ハンドル１を押すとモータ４が起動される。
【００１１】
また、前記バッテリパネルはケーブルによってマッサージ爪２の中空体底部に設置されている発熱体と接続されている。
マッサージ爪２の底部の外表面の発熱体の裏面には金属熱伝導パネル７が設けられている。金属熱伝導パネル７上には、複数の穴５が設けられ、この穴を通じて、対応するゲルマニウム粒１２又は人体に有益な金属元素又はミネラル、例えばチタン、玉石、トルマリンなどが固定される。金属熱伝導パネル７の表面には遠赤外線を発生できるコーティングが付いている。本実施形態中の金属熱伝導パネル７は、アルミパネルである。
【００１２】
図３に示されている通り、本実施形態において、ハンドル１はトップカバー２１とアンダーカバー２２とにより構成されており、ボルトで連結されている。トップカバー２１とアンダーカバー２２とは中空体を形成し、中にはバッテリチェンバー８が設置されている。
また、図４に示されている通り、バッテリパネルが当該バッテリチェンバー８の中に設置される。マッサージ爪２はマッサージ爪のトップカバー３１とマッサージ爪３２とのボルト連結によって構成されている。
【００１３】
モータ４は、モータ固定ブラケット１１上に固定されるとともに、ダンピングリング３のクランププレート１０上の回路と接続され、次第にダンピングガスケット９や、ダンピングリング３を通され、ハンドル１を押すと、バッテリパネルとモータ４を繋がせる。
本実施形態において、ハンドル１には充電コンセント６も設置されていて、この充電コンセント６を通じてバッテリパネルに充電することができる。
【００１４】
本実施形態において、マッサージヘッドの個数は４つであるが、必要に応じては、３つ又は４つ又は５つにすることができ、複数のマッサージヘッドは互いに間隔を以って設置されている。
【００１５】
本実施形態中のゲルマニウム粒１２において、ゲルマニウム金属は少量のエネルギーによって役割を果たせるが、その他トランジスタの場合は大量のエネルギー（高温、電流、電圧）がなければならない。
【００１６】
ゲルマニウム原子核の周りには３２の電子があって、最外殻の４つの電子は不規則の運動をする。一旦温度が上がると、最外殻上の電子はショックを受けて軌道を離れる。軌道を離れた電子は生物イオンのバランス調整に有利で、体の神経回路の異常を正常に回復させ、体の調子が悪い感じに対する予防と改善及びマッサージ、温泉効果などの機能がある。
【００１７】
ゲルマニウムは、人体異常電位の調整機能もあり、癌細胞の電位が急激に上がる場合、ゲルマニウム元素は癌細胞の電子を奪い取り、その電位を低下させ、病症の悪化を抑える。ゲルマニウム金属のトランジスタ機能は体温を上げることができ、これによって血液循環が促進され、疲労を軽減することができる。
本考案の実施形態において、電源を入れると、発熱体は熱を発生し、金属熱伝導パネルを通じて熱をゲルマニウム粒１２上に伝え、ゲルマニウム粒が人体に対して役割を果たす。
【００１８】
上記の具体的な実施形態は、単に実施形態にすぎず、その目的は本分野の技術者に本考案を理解させるためであり、本考案の技術的範囲を限定するものと理解してはいけない。本考案に記載された主旨に基づいて行われた任意の同等な変更又は修飾などは、いずれも本考案の技術的範囲に含まれる。
【符号の説明】
【００１９】
１・・・    ハンドル
２・・・    マッサージ爪
３・・・    ダンピングリング
４・・・    モータ
５・・・    穴
６・・・    充電コンセント
７・・・    金属熱伝導パネル
８・・・    バッテリチェンバー
９・・・    ダンピングガスケット
１０・・・  ダンピングリングのクランププレート
１１・・・  モータ固定ブラケット
１２・・・  ゲルマニウム粒
２１・・・トップカバー
２２・・・アンダーカバー
３１・・・マッサージ爪のトップカバー
３２・・・マッサージ爪のアンダーカバー
【図１】
0003165204.tif 000003
【図２】
0003165204.tif 000004
【図３】
0003165204.tif 000005
【図４】
0003165204.tif 000006